(57)【要約】      （修正有）【課題】マルチショットチャネル状態情報参照信号（ＣＳＩ−ＲＳ）を送信する方法を提供する。【解決手段】基地局２０（ＢＳ）は、ユーザ装置１０（ＵＥ）にマルチショットＣＳＩ−ＲＳ送信のオン／オフを示すトリガー情報を送信する。トリガー情報がマルチショットＣＳＩ−ＲＳ送信のオンを示す場合、ＢＳは、ＵＥにマルチショットＣＳＩ−ＲＳを送信する。ＵＥは、マルチショットＣＳＩ−ＲＳ送信を示すトリガー情報に基づいて、マルチショットＣＳＩ−ＲＳを受信する。マルチショットＣＳＩ−ＲＳは、異なるサブフレームにおいて、同じリソース要素の位置で送信される。【選択図】図８
2020145718.tif 000002
【特許請求の範囲】
【請求項１】
基地局（ＢＳ）からユーザ装置（ＵＥ）に、マルチショットチャネル状態情報参照信号（ＣＳＩ−ＲＳ）送信のオン／オフを示すトリガー情報を送信するステップと、
前記トリガー情報が前記マルチショットＣＳＩ−ＲＳ送信のオンを示す場合、前記ＢＳにおいて、前記ＵＥに前記マルチショットＣＳＩ−ＲＳを送信するステップと、
前記マルチショットＣＳＩ−ＲＳ送信を示す前記トリガー情報に基づいて、前記ＵＥにおいて、前記マルチショットＣＳＩ−ＲＳを受信するステップと、を有し、
前記マルチショットＣＳＩ−ＲＳは、異なるサブフレームにおいて、同じリソース要素の位置において送信されることを特徴とする方法。
【請求項２】
前記トリガー情報が前記マルチショットＣＳＩ−ＲＳ送信のオフを示す場合、前記ＵＥにおいて、前記マルチショットＣＳＩ−ＲＳは前記同じリソース要素の位置において送信されないと想定するステップを更に有することを特徴とする請求項１に記載の方法。
【請求項３】
前記ＵＥから前記ＢＳに、前記ＵＥが信号を受信するために用いる受信リソースの数を示すＵＥ能力情報を送信するステップを更に有することを特徴とする請求項１に記載の方法。
【請求項４】
前記ＢＳから前記ＵＥに、前記ＵＥからのＣＳＩフィードバックを無効にするよう指示する情報を送信し、前記ＵＥが前記情報を受信する場合、前記ＵＥは前記ＢＳにＣＳＩを報告しないことを特徴とする請求項１に記載の方法。
【請求項５】
基地局（ＢＳ）から、マルチショットチャネル状態情報参照信号（ＣＳＩ−ＲＳ）送信のオン／オフを示すトリガー情報と、前記トリガー情報が前記マルチショットＣＳＩ−ＲＳ送信のオンを示す場合、前記マルチショットＣＳＩ−ＲＳと、を受信する受信部を有し、
前記マルチショットＣＳＩ−ＲＳは、異なるサブフレームにおいて、同じリソース要素の位置において送信されることを特徴とするユーザ装置（ＵＥ）。
【請求項６】
前記トリガー情報が前記マルチショットＣＳＩ−ＲＳ送信のオフを示す場合、前記マルチショットＣＳＩ−ＲＳは前記同じリソース要素の位置において送信されないと想定する制御部を更に有することを特徴とする請求項５に記載のＵＥ。
【請求項７】
前記受信部は、前記ＵＥが信号を受信するために用いる受信リソースの数を示すＵＥ能力情報を受信することを特徴とする請求項５に記載のＵＥ。
【請求項８】
前記受信部は、前記ＵＥからのＣＳＩフィードバックを無効にするよう指示する情報を受信し、前記ＵＥが前記情報を受信する場合、前記ＵＥは前記ＢＳにＣＳＩを報告しないことを特徴とする請求項５に記載のＵＥ。
【発明の詳細な説明】
【技術分野】
【０００１】
本発明は、一般に、無線通信方法に関し、より詳細には、無線通信システムにおける下りリンク受信のリソース選択方法に関する。
【背景技術】
【０００２】
より高い周波数帯（例えば、ミリ波（ｍｍＷａｖｅ））で動作するＮｅｗ  Ｒａｄｉｏ（ＮＲ；第５世代（５Ｇ）無線アクセス技術）システムが、第３世代パートナーシッププロジェクト（３ＧＰＰ）で研究されている。ミリ波等のより高い周波数帯で動作するユーザ装置（ＵＥ）は、それぞれが互いに異なる指向性を持っている２以上のアンテナパネルを備えている。例えば、この２以上のアンテナパネルをＵＥの前面と後面等の２面に配置してもよい。ＵＥの各面は少なくとも1つのアンテナパネルを有してもよい。或いは、複数のアンテナパネルをＵＥの４つ、６つ、又はそれ以上の面に配置してもよい。
【０００３】
更に、ミリ波チャネル特性は、通常の周波数帯のチャネル特性とは大きく異なる。従って、例えば、より高い周波数帯に対して大きな経路損失や遮断が原因で、他の複数のアンテナパネルに比べると、ＵＥの複数のアンテナパネルの一部しか効果的に動作しなくなる。
【０００４】
そのために、効果的なアンテナパネル切り替え（選択）技術が、ミリ波等のより高い周波数帯で動作する無線通信システムに必要とされる。しかし、現在の長期進化（ＬＴＥ）規格は、ＮＲに必要なアンテナパネル切り替え方式をサポートしない。
【先行技術文献】
【非特許文献】
【０００５】
【非特許文献１】３ＧＰＰ，ＴＳ３６．２１１Ｖ１３．２．０
【非特許文献２】３ＧＰＰ，ＴＳ３６．２１３Ｖ１３．２．０
【発明の概要】
【０００６】
本発明の１つ以上の実施形態によれば、マルチショットＣＳＩ−ＲＳを送信する方法は、基地局（ＢＳ）からユーザ装置（ＵＥ）に、マルチショットチャネル状態情報参照信号（ＣＳＩ−ＲＳ）送信のオン／オフを示すトリガー情報を送信するステップと、前記トリガー情報が前記マルチショットＣＳＩ−ＲＳ送信のオンを示す場合、前記ＢＳにおいて、前記ＵＥに前記マルチショットＣＳＩ−ＲＳを送信するステップと、前記マルチショットＣＳＩ−ＲＳ送信を示す前記トリガー情報に基づいて、前記ＵＥにおいて、前記マルチショットＣＳＩ−ＲＳを受信するステップと、を有し、前記マルチショットＣＳＩ−ＲＳは、異なるサブフレームにおいて、同じリソース要素の位置において送信されることを有する。
【０００７】
本発明の１つ以上の実施形態によれば、ユーザ装置（ＵＥ）は、基地局（ＢＳ）から、マルチショットチャネル状態情報参照信号（ＣＳＩ−ＲＳ）送信のオン／オフを示すトリガー情報と、前記トリガー情報が前記マルチショットＣＳＩ−ＲＳ送信のオンを示す場合、前記マルチショットＣＳＩ−ＲＳと、を受信する受信部を有し、前記マルチショットＣＳＩ−ＲＳは、異なるサブフレームにおいて、同じリソース要素の位置において送信されることを有する。
【０００８】
本発明の１つ以上の実施形態によれば、マルチショットＣＳＩ−ＲＳを送信する方法により前記ＢＳから前記ＵＥに、前記ＵＥからのＣＳＩフィードバックを無効にするよう指示する情報を送信し、前記ＵＥが前記情報を受信する場合、前記ＵＥは前記ＢＳにＣＳＩを報告しない。
【図面の簡単な説明】
【０００９】
【図１】本発明の１つ以上の実施形態に係る無線通信システムの構成を示す図である。
【図２Ａ−２Ｅ】本発明の１つ以上の実施形態に係る、ＵＥの複数の受信リソースの配置構成例を示す図である。
【図３Ａ−３Ｂ】本発明の１つ以上の実施形態に係る、ＵＥにおける受信リソース及び回路の構成例を示す図である。
【図４】本発明の第１の実施例の１つ以上の実施形態に係る、下りリンクＲＳを用いた受信リソース選択のための動作例を示すシーケンス図である。
【図５】本発明の第２の実施例の１つ以上の実施形態に係る、複数の下りリンクＲＳ（ＲＳのマルチショット送信）を用いた受信リソース選択のための動作例を示すシーケンス図である。
【図６】本発明の変更された第２の実施例の１つ以上の実施形態に係る、複数の下りリンクＲＳ（ＲＳのマルチショット送信）を用いた受信リソース選択のための動作例を示すシーケンス図である。
【図７】本発明の変更された第２の実施例の１つ以上の実施形態に係る、ＲＳ送信数を示す表の例を示す図である。
【図８】本発明の変更された第２の実施例の１つ以上の実施形態に係る、受信リソース選択のための複数の下りリンクＲＳ（ＲＳのマルチショット送信）の動作例を示すシーケンス図である。
【図９】本発明の変更された第２の実施例の１つ以上の実施形態に係る、受信リソース選択のための複数の下りリンクＲＳ（ＲＳのマルチショット送信）の動作例を示すシーケンス図である。
【図１０Ａ】本発明の変更された第２の実施例の１つ以上の実施形態に係る、ＲＳが連続して周波数リソースに多重化される構成を示す図である。
【図１０Ｂ】本発明の変更された第２の実施例の１つ以上の実施形態に係る、ＲＳが櫛状パターンの周波数リソースに多重化される構成を示す図である。
【図１１】本発明の第３の実施例の１つ以上の実施形態に係る、複数のＲＳ（ＲＳのマルチショット送信）の動作例を示すシーケンス図である。
【図１２】本発明の変更された第３の実施例の１つ以上の実施形態に係る、ビーム掃引のための複数のＲＳ（ＲＳのマルチショット送信）の動作例を示す図である。
【図１３Ａ】本発明の第４の実施例の１つ以上の実施形態に係る、複数の下りリンクＲＳ（ＲＳのマルチショット送信）を用いた受信リソース選択のための動作例を示すシーケンス図である。
【図１３Ｂ】本発明の変更された第４の実施例の１つ以上の実施形態に係る、下りリンクＲＳを用いた受信リソース選択ための動作例を示すシーケンス図である。
【図１４】本発明の第５の実施例の１つ以上の実施形態に係る、上りリンクＲＳを用いた受信リソース選択のための動作例を示すシーケンス図である。
【図１５】本発明の第６の実施例の１つ以上の実施形態に係る受信リソース選択のための動作例を示すシーケンス図である。
【図１６】本発明の１つ以上の実施形態に係る基地局の概略構成を示すブロック図である。
【図１７】本発明の１つ以上の実施形態に係るユーザ装置の概略構成を示すブロック図である。
【実施形態の詳細な説明】
【００１０】
以下、図面を参照して、本発明の実施形態について詳細に説明する。本発明の実施形態において、本発明について完全に理解できるように、数多くの具体的詳細が説明されている。しかし、これらの具体的詳細がなくとも本発明が実施されるということが当業者に明らかになるだろう。他の例では、本発明を分かりやすくするために、周知の特徴が詳述されてこなかった。
【００１１】
図１は、本発明の１つ以上の実施形態に係る無線通信システム１を示す。無線通信システム１はユーザ装置（ＵＥ）１０と、基地局（ＢＳ）２０と、コアネットワーク３０と、を具備する。無線通信システム１はＬＴＥ／ＬＴＥ−Ａｄｖａｎｃｅｄ（ＬＴＥ−Ａ）システム、Ｎｅｗ  Ｒａｄｉｏ（ＮＲ）、又は他のシステムである。無線通信システム１は、ここの記載の具体的な構成に限定されなく、如何なるタイプの無線通信システムであってもよい。
【００１２】
ＢＳ２０は、上りリンク（ＵＬ）及び下りリンク（ＤＬ）信号をセル２１のＵＥ１０とやりとりする。このＤＬ及びＵＬ信号は、制御情報、及びユーザデータを含む。ＢＳ２０は、バックホールリンク３１を介してＵＬ信号とＤＬ信号をコアネットワーク３０とやりとりする。ＢＳ２０はＥｖｏｌｖｅｄ  ＮｏｄｅＢ（ｅＮＢ）でもよい。
【００１３】
ＢＳ２０は、１つ以上のアンテナと、近隣のＢＳ２０（例えば、Ｘ２インタフェース）と通信する通信インタフェースと、コアネットワーク３０（例えば、Ｓ１インタフェース）と通信する通信インタフェースと、ＵＥ１０との送受信信号を処理するプロセッサ又は回路等のＣＰＵ（中央処理装置）と、を具備する。ＢＳ２０の動作は、メモリに格納されたデータ及びプログラムを処理又は実行するプロセッサによって実施されてもよい。ＢＳ２０の動作は、メモリに格納されたデータ及びプログラムを処理又は実行するプロセッサによって実施されてもよい。しかしながら、ＢＳ２０は、上述したハードウェア構成に限定されず、当業者に理解される他の適切なハードウェア構成によって実現されてもよい。無線通信システム１のより広いサービスエリアをカバーするように、数多くのＢＳ２０が配置されてもよい。
【００１４】
ＵＥ１０は、制御情報及びユーザデータを含むＤＬ信号及びＵＬ信号をＢＳ２０と通信する。ＵＥ１０は、移動局、スマートフォン、携帯電話、タブレット、モバイルルータ、又はウェアラブル機器などの無線通信機能を有する情報処理装置であってもよい。無線通信システム１は１つ以上のＵＥｓ１０を有する。
【００１５】
ＵＥ１０は、プロセッサ等のＣＰＵ、ＲＡＭ（ランダムアクセスメモリ）、フラッシュメモリ及び、ＢＳ２０及びＵＥ１０へ／から無線信号の送／受信をする無線通信装置を具備する。例えば、以下に説明するＵＥ１０の動作は、メモリに格納されたデータ及びプログラムを処理又は実施するＣＰＵにより実行することができる。ただし、ＵＥ１０は、上述したハードウェア構成に限定されるものではなく、例えば、以下記載の処理を実現する回路によって構成されてもよい。
【００１６】
本発明の１つ以上の実施形態によれば、ＵＥ１０は複数の受信リソースを有してもよい。本発明の１つ以上の実施形態において、受信リソースは、複数のアンテナ（アンテナポート）を含むアンテナパネル、複数のアンテナのグループ、及び上りリンク送信のビームの少なくとも１つと呼ばれてもよい。例えば、受信リソースはアンテナや対応するビームであってもよい。各受信リソースは互いに異なる指向性を有してもよい。図２Ａ，図２Ｂ，図２Ｃ、図２Ｄ、及び図２Ｅは、ＵＥ１０の複数の受信リソースの配置構成例を示す図である。例えば、図２Ａに示すように、２つの受信リソース１１Ａ、１１Ｂを、それぞれＵＥ１０の前面側と後面側とに配置してもよい。図２Ｂに示すように、４つの受信リソース１１Ａ、１１Ｂ、１１Ｃ、１１Ｄを、それぞれＵＥ１０の前面側と後面側と両側面側とに配置してもよい。図２Ｃに示すように、６つの受信リソース１１Ａ、１１Ｂ、１１Ｃ、１１Ｄ、１１Ｅ、１１Ｆを、それぞれＵＥ１０の前面側と後面側と両側面側と両垂直面側とに配置してもよい。他の例として、図２Ｄに示すように、ＵＥ１０が４つの受信リソース１１Ａ、１１Ｂ、１１Ｇ、１１Ｈを有する際、２つの受信リソース１１Ａ、１１Ｇを前面側に配置してもよく、他の受信リソース１１Ｂ、１１Ｈを前面側に配置してもよい。他の例として、図２Ｅに示すように、受信リソース１１Ａ、１１Ｂの両方を、同方向を向くようにＵＥ１０に配置してもよい。例えば、ユーザの手でＵＥ１０の下側を覆うように、ユーザがスマートフォン等のＵＥ１０を握る際に図２Ｅの構成が効果的である。しかし、ＵＥ１０の受信リソース１１の配置構成は上述した構成に限定されない。更に、ＵＥ１０の受信リソース１１の数は上記の２，４、および６セットに限定されず、６セットを超えてもよい。本発明の１つ以上の実施形態において、受信リソース１１Ａ、１１Ｂ、１１Ｃ、１１Ｄ、１１Ｅ及び１１Ｆは、それぞれ#１、#２、#３、#４、#５及び#６とも呼ばれる。
【００１７】
更に、図３Ａに示すように、例えば、ＵＥ１０が２つの受信リソース１１を有する際、本発明の１つ以上の実施形態に係るＵＥ１０の構成において、各回路１０３を受信リソース１１Ａ、１１Ｂ（アンテナパネル#１、#２）それぞれに接続してもよい。従って、ＵＥ１０において、受信リソース１１の数は回路１０３の数と同一でもよい。
【００１８】
他の例として、図３Ｂに示すように、本発明の１つ以上の実施形態に係るＵＥ１０の構成において、回路１０３をスイッチ（ＳＷ）１０６を介して２つの受信リソース１１Ａ、１１Ｂに接続してもよい。従って、ＵＥ１０において、受信リソース１１の数は回路１０３の数より大きくてもよい。
【００１９】
（第１の実施例）
以下、図４を参照して、本発明の第１の実施例の実施形態について詳細に説明する。本発明の第１の実施例の１つ以上の実施形態によれば、受信リソース選択のための参照信号（ＲＳ）を用いてＵＥ１０の受信リソース１１を選択してもよい。図４は、本発明の第１の実施例の１つ以上の実施形態に係る、下りリンクＲＳを用いた受信リソース選択ための動作例を示すシーケンス図である。
【００２０】
図４に示すように、ＢＳ２０は、受信リソース選択のための参照信号（ＲＳ）（所定信号）をＵＥ１０に送信する（ｓｔｅｐ  Ｓ１０１）。例えば、参照信号は、チャネル状態情報参照信号（ＣＳＩ−ＲＳ）、専用参照信号（ＤＲＳ）、セル固有参照信号（ＣＲＳ）でもよい。参照信号は、新たに規定された信号でもよい。更に、本発明の１つ以上の実施形態によれば、下りリンクＲＳは、受信リソース選択のためのＲＳに限定されず、他の目的に用いられる同期信号又は他の参照信号でもよい。更に、例えば、ＵＥは、ＢＳ２０からのＲＳ送信のための要求をＢＳ２０に送信してもよく、その後、ＢＳ２０がその要求に基づいてＲＳを送信してもよい。
【００２１】
ＵＥ１０が、ＵＥ１０の受信リソース１１を用いてＢＳ２０から参照信号を受信した後、ＵＥ１０はその受信参照信号に基づいて受信品質の測定を行ってもよい（ｓｔｅｐ  Ｓ１０２）。受信品質は、参照信号受信電力（ＲＳＲＰ）等の受信電力、受信信号強度指標（ＲＳＩ）、伝搬損失、又はチャネル品質を反映する他の情報であってもよい。
【００２２】
ＵＥ１０は、測定結果に基づいて下り信号又はチャネルの受信に用いられる受信リソース１１を選択してもよい（ｓｔｅｐ  Ｓ１０３）。例えば、ＵＥ１０は、受信品質を有する参照信号が受信品質の所定値より大きい受信に用いられる受信リソース１１を選択してもよい。
【００２３】
そして、ＵＥ１０は、フィードバックのための通知（選択情報）をＢＳ２０に送信してもよい（ｓｔｅｐ  Ｓ１０４）。例えば、その通知には、その選択受信リソース１１を示す情報及び／又は各受信リソース１１の受信品質が含まれてもよい。受信品質を示す情報は、最も高い受信品質、又は他の受信リソース１１より高い受信品質を有する複数の受信リソースを有する受信リソース１１を示す情報であってもよい。フィードバックのための受信リソース１１を受信リソースインデックス（数）として示してもよい。フィードバックのための受信リソース１１をアンテナポート情報、プリコーディング行列指標（ＰＭＩ）、ＣＳＩ−ＲＳリソース指標（ＣＲＩ）等の暗黙の情報として送信してもよい。更に、本発明の１つ以上の実施形態において、通知の送信は選択的でよく、即ち、ＵＥ１０はその通知をＢＳ２０に送信しなくてよい。ｓｔｅｐ  Ｓ１０４の後、選択受信リソース１１を用いてＢＳ２０から下りリンク信号（及び／又は下りリンクチャネル）を受信してもよい。例えば、ＵＥ１０がＢＳ２０から下りリンク信号を受信する際、ＢＳ２０が選択受信リソース１１を示す通知の情報を下りリンク信号に適用することを想定して、ＵＥ１０はその受信リソース１１を決定してもよい。
【００２４】
更に、ｓｔｅｐ  Ｓ１０４において、通知の受信品質を示す情報は、受信リソース１１それぞれのＲＳＲＰ等の受信品質を示す情報であってもよい。例えば、この通知は1つ以上の受信リソース１１のＲＳＲＰを含んでよい。更に、複数の受信リソース１１のＲＳＲＰは、他の受信リソース１１より高い品質であってもよい。更に、この通知が複数の受信リソース１１のＲＳＲＰを含む場合、ＲＳＲＰを最も高いＲＳＲＰと所定のＲＳＲＰの差として示してもよい。
【００２５】
更に、ｓｔｅｐ  Ｓ１０４において、通知は、選択受信リソース１１を示す情報に加えてＣＳＩフィードバック情報を含んでもよい。例えば、通知は、選択受信リソース１１のためのランク指標（ＲＩ）、ＣＲＩ、ＰＭＩ、及びチャネル品質指標（ＣＱＩ）を含んでもよい。このような場合、例えば、ＲＩ、ＣＲＩ、ＰＭＩ、及びＣＱＩを、選択パネル１１に基づいて算出してもよい。
【００２６】
更に、ｓｔｅｐ  Ｓ１０４において、通知の選択受信リソース１１を示す情報は、選択受信リソース１１の受信リソースインデックス（数）よりもむしろ、受信リソース１１が切り替えられるかどうかを示す情報であってもよい。
【００２７】
（第２の実施例）
以下、図５を参照して、本発明の第１の実施例の実施形態について詳細に説明する。例えば、ＵＥ１０がｋ受信リソース１１を有する場合、要求されるのは、ＵＥ１０の受信リソース選択のためのｋ受信リソース１１によって受信されるｋ信号の受信品質。即ち、例えば、受信リソース１１の数が、図３Ｂに示すような構成等の回路１０３の数よりも大きい場合に受信リソース１１は時間的な切り替えが要求される。本発明の第２の実施例の１つ以上の実施形態によれば、複数のＲＳをＢＳ２０からＵＥ１０に時間的に送信した（ＲＳのマルチショット送信）後、ＵＥ１０により複数の受信リソース１１の受信品質（チャネル品質）を比較してもよい。図５は、本発明の第２の実施例の１つ以上の実施形態に係る、複数の下りリンクＲＳ（ＲＳのマルチショット送信）を用いた受信リソース選択のための動作例を示すシーケンス図である。
【００２８】
図５に示すように、ＢＳ２０は、受信リソース選択のための複数のＲＳ（複数の所定信号）をＵＥ１０に送信してもよい（ＲＳのマルチショット送信）（ｓｔｅｐ  Ｓ２０１）。
【００２９】
ＵＥ１０が、ＵＥ１０の複数の受信リソースを用いてＢＳ２０から複数のＲＳを受信した後、ＵＥ１０は、受信した複数のＲＳに基づいて受信品質測定を行ってもよい（ｓｔｅｐ  Ｓ２０２）。例えば、ＵＥ１０は、複数の受信リソース１１それぞれにより受信した複数のＲＳそれぞれについての受信品質測定結果を比較してもよい。
【００３０】
ＵＥ１０は、受信した複数のＲＳの測定結果に基づいて少なくとも1つの受信リソース１１を選択してもよい（ｓｔｅｐ  Ｓ２０３）。例えば、受信リソース選択は、比較された受信品質測定結果を用いて行なってもよい。例えば、ＵＥ１０は、最も高い受信品質を有する受信リソース１１を選択してもよい。
【００３１】
そして、ＵＥ１０は、フィードバックのための通知（選択情報）をＢＳ２０に送信してもよい（ｓｔｅｐ  Ｓ２０４）。図５のｓｔｅｐ  Ｓ２０４は、図４のｓｔｅｐ  Ｓ１０４と同一である。選択情報は選択受信リソース１１を示してもよい。ｓｔｅｐ  Ｓ２０４の後、ＵＥ１０は、選択受信リソースを用いて下りリンク信号又は下りリンクチャネルを受信してもよい。
【００３２】
従って、第２の実施例の１つ以上の実施形態によれば、ＵＥ１０は、ＵＥ１０の複数の受信リソース１１を用いてＢＳ２０から複数のＲＳ（所定信号）を受信してもよい。ＵＥ１０はＲＳの受信品質を測定してもよい。ＵＥ１０は、測定受信品質に基づいて下りリンク信号（及び／又は下りリンクチャネル）の受信に用いられる少なくとも1つの受信リソース１１を複数の受信リソース１１から選択してもよい。例えば、ＵＥ１０は、受信品質が他のＲＳの受信品質より高いＲＳの受信に用いられる受信リソース１１を選択してもよい。
【００３３】
（変更された第２の実施例）
本発明の変更された第２の実施例の１つ以上の実施形態によれば、ＢＳ２０はＵＥ１０に複数のＲＳ送信のためのＲＳ関連情報を通知してもよい。図６は、本発明の変更された第２の実施例の１つ以上の実施形態に係る、複数の下りリンクＲＳ（ＲＳのマルチショット送信）を用いた受信リソース選択のための動作例を示すシーケンス図である。図５のステップと同様の図６のステップには同一の参照ラベルを付してもよい。
【００３４】
図６に示すように、ＢＳ２０はＲＳ関連情報をＵＥ１０（ＲＳのマルチショット送信）に送信してもよい（ｓｔｅｐ  Ｓ２００）。例えば、ＲＳ関連情報は、ＲＳ送信数及び／又はマルチショット送信のためのＲＳ送信間隔（例えば、サブフレーム数）を含んでもよい。例えば、ＲＳ関連情報を、無線リソース制御（ＲＲＣ）シグナリング等の半固定的シグナリング、及び下りリンク制御情報（ＤＣＩ）を用いたシグナリング等の動的シグナリングの少なくとも１つを介して送信してもよい。
【００３５】
例えば、ＲＳ送信数を図７の表として示すことができる。図７に示すように、２ビットは、ＲＳ送信数に関連したＲＳ構成番号を示すことができる。例えば、図７において、“００”は、ＲＳを送信していないことを意味する（この例では“０”として設定された）ＲＳ送信数によるＲＳ構成#１を示す。図７において、“０１”、“１０”、“１１”は、それぞれＲＳ送信数“１”、“２”、“４”に関連するＲＳ構成#２、#３、#４を示す。
【００３６】
ＢＳ２０は、受信リソース選択のための複数のＲＳをＵＥ１０に送信してもよい（ＲＳのマルチショット送信）（ｓｔｅｐ  Ｓ２０１）。
【００３７】
ＵＥ１０は、ＲＳ関連情報に基づいてＢＳ２０から複数のＲＳを受信してもよく、その後、ＵＥ１０は、受信品質測定（Ｓ２０２）と受信リソース選択（Ｓ２０３）を行ってもよい。そして、ＵＥ１０は通知をＢＳ２０に送信してもよい（Ｓ２０４）。
【００３８】
例えば、ｓｔｅｐ  Ｓ２０１において、複数のＲＳをリソース要素（ＲＥ）の同様の位置に割り当ててもよく、別のサブフレームを用いて送信してもよい。他の例として、同一のサブフレームを用いて複数のＲＳを送信してもよく、同一のサブフレームでＲＥｓの別の位置に割り当ててもよい。このような場合、複数のパネルを、順序正しく、適切に比較、複数のＲＳを時間領域で重ね合わせるべきでないＲＥｓの各々。例えば、ＵＥ１０は、時間領域で重ね合わされるＲＥｓをＲＳのマルチショット送信に設定することを想定しなくてよい。更に、受信リソース切り替えには遷移時間が要求されうる。このような場合、ＵＥ１０は、複数のＲＳを所定期間内に多重化することを想定しなくてよい。
【００３９】
他の例として、本発明の変更された第２の実施例の１つ以上の実施形態によれば、ＢＳ２０は、ＵＥ１０に周期的ＲＳ送信を可能／不能にする情報を通知してもよい。図８に示すように、ＢＳ２０は、ＲＳ送信（ｓｔｅｐ  Ｓ２００ａ）前にＲＳ有効トリガー（トリガー情報）をＵＥ１０に送信してもよい。ＲＳ有効トリガー（トリガー情報）は、マルチショットＲＳ（例えば、マルチショットＣＳＩ−ＲＳ）送信のオン/オフを示してもよい。そして、ＢＳ２０はＲＳ（ｓｔｅｐ  Ｓ２０１）を送信してもよい。図８のｓｔｅｐ  Ｓ２０１は、図５及び６のｓｔｅｐ  ２０１と同一である。ＢＳ２０はＲＳ有効トリガーをＵＥ１０に送信してもよい（ｓｔｅｐ  Ｓ２００ｂ）。例えば、ＵＥ１０は、ＲＳ有効トリガーからの所定時間オフセットの経過後にＲＳを多重化することを想定してもよい。このような場合、所定時間オフセットはゼロであってもよい。例えば、ＵＥ１０は、ＲＳ無効トリガーからの所定時間オフセットの経過後にＲＳを多重化することを想定してもよい。このような場合、所定時間オフセットはゼロであってもよい。例えば、ＢＳ２０は、マルチショットＲＳそれぞれに異なる送信電力制御（ＴＰＣ）を行ってもよい。
【００４０】
他の例として、本発明の変更された第２の実施例の１つ以上の実施形態によれば、ＲＳのマルチショット送信において、ＲＳを多重化する周波数帯は、各ＲＳ送信のためにホッピングしてもよい。その結果、広帯域チャネル推定を効果的に推定することができる。
【００４１】
他の例として、本発明の変更された第２の実施例の１つ以上の実施形態によれば、ＲＳのマルチショット送信において、ＲＳ送信に用いられるＢＳ２０の送信アンテナポートを切り替えてもよい。
【００４２】
他の例として、本発明の変更された第２の実施例の１つ以上の実施形態によれば、ＲＳのマルチショット送信において、ＵＥ１０中で複数のＲＳの測定結果（例えば、受信品質測定結果）を平均化してもよく、又はしなくてもよい。更に、ＢＳ２０は、測定結果を平均化してもよいかどうかを示す情報をＵＥ１０に送信してもよい。更に、図９に示すように、測定結果を周期的に平均化してもよい。図９に示すように、例えば、ＲＳ#１と#５の対、ＲＳ#２と#６の対、ＲＳ#３と#７の対、及びＲＳ#４と#８の対それぞれを所定の周期性で送信してもよい。図９において、例えば、ＲＳ#１と#５の対、及びＲＳ#４と#８の対の測定結果を平均化してもよい。一方、ＲＳ#２と#６の対、及びＲＳ#３と#７の対の測定結果については平均化しない方がよい。更に、測定結果を平均化してもよいＲＳの所定の周期性については、ＢＳ２０からＵＥ１０に送信してもよい。
【００４３】
更に、ＲＳのマルチショット送信に関連する情報（例えば、測定結果を平均化してもよいかどうかを示す情報、及び所定の周期性）は、ＣＳＩプロセス及び非ゼロパワー（ＮＺＰ）ＣＳＩ−ＲＳを含んでもよい。
【００４４】
直交周波数分割多重（ＯＦＤＭ）システムにおいて、周波数領域の多重間隔が所定の周波数周期、例えば、サブキャリアで増加する際、時間信号の繰り返し数は、所定時間で増加する。本発明の変更された第２の実施例の１つ以上の実施形態によれば、ＯＦＤＭシステムで上記特性を使用して、時間多重密度を増加する。例えば、図１０Ａに示すように、ＲＳを連続的に周波数リソースに多重する。一方、図１０Ｂに示すように、ＲＳを櫛状パターンの周波数リソースに多重する。その結果、図１０Ｂでは、ＲＳ送信の時間多重密度を増加することができ、ＲＳのマルチショット送信を実現することができる。
【００４５】
他の例として、本発明の変更された第２の実施例の１つ以上の実施形態によれば、例えば、受信リソース１１の数が図３Ａに示す構成のような回路１０３の数と同一の場合、単一の参照信号シーケンスに基づいて受信リソース１１を切り替えることが要求される。
【００４６】
（第３の実施例）
以下、図１１を参照して、本発明の第３の実施例の実施形態について詳細に説明する。図１１は、本発明の第３の実施例の１つ以上の実施形態に係る、複数の下りリンクＲＳ（ＲＳのマルチショット送信）を用いた受信リソース選択のための動作例を示すシーケンス図である。
【００４７】
図１１に示すように、ＢＳ２０は、複数のＣＳＩ−ＲＳをＵＥ１０に送信してもよい（ｓｔｅｐ  Ｓ３０１）。本発明の第３の実施例の１つ以上の実施形態において、異なるビームフォーミングを複数のＣＳＩ−ＲＳそれぞれに適用してもよい。更に、例えば、ＢＳ２０は、複数のＣＳＩ−ＲＳ送信前に、ＵＥ１０でのＣＳＩ−ＲＳフィードバックの動作の指定をＵＥ１０に通知してもよい。
【００４８】
ＵＥ１０がＢＳ２０から複数のＣＳＩ−ＲＳ受信した後、ＵＥ１０は、複数のＣＳＩ−ＲＳに基づいて受信品質測定を行ってもよい（ｓｔｅｐ  Ｓ３０２）。ＵＥ１０は、受信した複数のＲＳの測定結果に基づいてＣＳＩ−ＲＳ(ｓ)  を選択してもよい（ｓｔｅｐ  Ｓ３０３）。
【００４９】
ＵＥ１０は、受信したＣＳＩ−ＲＳに対応するＣＳＩフィードバックをＢＳ２０に送信してもよい（ｓｔｅｐ  Ｓ３０４）。更に、ＵＥ１０は、受信したＣＳＩ−ＲＳに関連するＣＳＩの情報を送信してもよい。
【００５０】
（変更された第３の実施例）
本発明の第３の実施例の１つ以上の実施形態によれば、ＣＳＩ−ＲＳのマルチショット送信をビーム掃引に適用してもよい。例えば、ＣＳＩ−ＲＳのマルチショット送信を用いて送信部からのビームを決定してもよい。例えば、図１２に示すように、異なるビームフォーミングを複数のビームのそれぞれに適用してもよく、送信部（例えば、ＢＳ２０）は、複数のビームを用いて複数のＣＳＩ−ＲＳを送信してもよい（第１の方式）。
【００５１】
更に、例えば、送信部は、同一のビームを適用する複数のＣＳＩ−ＲＳに送信してもよく、図１２に示すように、受信部（例えば、ＵＥ１０）は、受信者側に適切なビームを適用、選択してもよい（第２の方式）。
【００５２】
他の例として、例えば、上記の第１及び第２の方式を組み合わせてもよい。更に、ＢＳ２０は、同一のビームフォーミングベクトルをマルチショットＣＳＩ−ＲＳに適用するかどうかを示す情報をＵＥ１０に送信してもよい。一般に、ＢＳ２０は、マルチショットＣＳＩ−ＲＳが比較可能かどうかを示す情報をＵＥ１０に送信してもよい。
【００５３】
（第４の実施例）
本発明の第４の実施例の１つ以上の実施形態によれば、ＢＳ２０は、ＵＥ動作の指定をＵＥ１０に通知してもよい。
【００５４】
図１３Ａに示すように、ＢＳ２０は、ＵＥ動作指定情報をＵＥ１０に送信してもよい。ＵＥ動作指定情報は、アンテナパネル選択（２ビット“００”）、校正（“０１”）を、ＣＳＩ推定（“１０”）、及びＮ／Ａ（ＵＥが判定できる）（“１１”）（ｓｔｅｐ  Ｓ３００）を含んでもよい。ＵＥ動作指定情報の指定動作は、図１３Ａに示した上記動作に限定されなく、他の情報、又は“アンテナパネル選択”や“校正”等の動作の組み合わせを指定する情報であってもよい。ＣＳＩ−ＲＳフィードバックトリガー、ＲＳ送信トリガー、又はＤＬ／ＵＬグラントは、このＵＥ動作指定情報を含んでもよい。そして、ＢＳ２０は複数のＣＳＩ−ＲＳよい（ｓｔｅｐ  Ｓ３０１）。例えば、ＢＳ２０は、ＵＥ動作指定情報又は他のシグナリングを用いて、ＵＥ１０からのフィードバックにＣＳＩのタイプを指定してもよい。例えば、ＢＳ２０により指定されたＣＳＩのタイプは、ＣＳＩタイプ（例えば、ＲＩ／ＰＭＩ／ＣＲＩ／ＣＱＩ）及び／又はＣＳＩフィードバックの帯域幅であってもよい。
【００５５】
ＵＥ１０がＢＳ２０から複数のＣＳＩ−ＲＳを受信した後、ＵＥ１０は、ＵＥ動作指定情報で指定された動作を行ってもよい（ｓｔｅｐ  Ｓ３０２ａ）。例えば、アンテナパネル選択（“００”）を指定する際、ＵＥは、受信リソース選択を行ってもよく、ＣＳＩフィードバック情報を送信しなくてもよい。
【００５６】
他の例として、ＢＳ２０は、ＲＲＣシグナリング等の半固定的シグナリング、及びＤＣＩフォーマットを用いたシグナリング等の動的シグナリングの少なくとも１つを介してＣＳＩフィードバックが行われないことを示す情報を送信してもよい。
【００５７】
他の例として、本発明の変更された第４の実施例の１つ以上の実施形態によれば、ＵＥ動作指定情報送信は、複数のＣＳＩ−ＲＳ送信への適用に限定されるものではなく、図１３Ｂに示すＣＳＩ−ＲＳ送信又は他のＲＳ(ｓ)送信に適用されてもよい。
【００５８】
（第５の実施例）
以下、図１４を参照して、本発明の第５の実施例の実施形態について詳細に説明する。本発明の第５の実施例の１つ以上の実施形態によれば、受信リソース選択のために上りリンクＲＳ(ｓ)を用いて、ＢＳ２０がＵＥ１０の受信リソース１１を指定（選択）してもよい。図１４は、本発明の第５の実施例の１つ以上の実施形態に係る、上りリンクＲＳを用いた受信リソース選択のための動作例を示すシーケンス図である。
【００５９】
図１４に示すように、ＵＥ１０は、上りリンクＲＳを複数の受信リソース１１の全部又は一部からＢＳ２０に送信してもよい（ｓｔｅｐ  Ｓ４０１）。ＢＳ２０は、ＵＥ１０からの受信上りリンクＲＳに基づいて、上りリンクＲＳが最も高い品質を有するＵＥ１０の受信リソース１１を指定（選択）してもよい（ｓｔｅｐ  Ｓ４０２）。そして、ＢＳ２０は、指定受信リソース１１を示す通知をＵＥ１０に送信してもよい（ｓｔｅｐ  Ｓ４０３）。ＵＥ１０は、この通知に基づいて、ＢＳ２０により選択された受信リソース１１を用いて信号を受信してもよい。更に、本発明の第５の実施例の実施形態における特徴を本発明の第１から第３の実施例の実施形態に適用することができる。
【００６０】
他の例として、ＵＥ１０は、ＢＳ２０が下りリンク信号送信に選択受信リソース１１を示すフィードバック情報（通知）を適用すると想定して、下りリンク信号の受信に用いられる受信リソース１１を決定してもよい。
【００６１】
（第６の実施例）
本発明の１つ以上の実施形態によれば、ＵＥ１０は、ＢＳ２０にＵＥ１０の受信リソース１１の数を通知してもよい。
【００６２】
図１５に示すように、ＵＥ１０は、受信リソース情報をＢＳ２０に送信してもよい（ｓｔｅｐ  Ｓ５０１）。受信リソース情報は、ＵＥ１０の受信リソース１１の数、信号を送信及び／又は受信をすることが同時にできる受信リソースの数、及び受信リソース１１のアンテナ構成の少なくとも１つを含んでもよい。例えば、受信リソース情報をＵＥ能力情報として送信してもよい。例えば、受信リソース情報は、ＴＸＲＵ数、ストリーム数、及びトランスポートブロックサイズを含んでもよい。例えば、ＴＸＲＵ数、ストリーム数、及びトランスポートブロックサイズは、各受信リソース１１に関する。受信リソースインデックスを各受信リソース１１に割り当ててもよい。例えば、受信リソース情報を図１４のｓｔｅｐ  Ｓ４０２等のＢＳ２０での受信リソース選択に用いてもよい。更に、本発明の第６の実施例の実施形態における特徴を本発明の第１から第５の実施例の実施形態に適用することができる。
【００６３】
更に、受信リソース１１のアンテナ構成は、各受信リソース１１に関する。例えば、アンテナ構成を、ＵＥ１０が８−ＴＸ受信リソースと４−ＴＸ受信リソースから成る２つの受信リソース１１を含んでいるということを意味している８−ＴＸと４−ＴＸとして示してもよい。例えば、受信リソース１１のアンテナ構成は、各受信リソース１１のためのｐｌａｎｅｒ（垂直／水平）アンテナと偏波アンテナの数の全部又は一部を含んでもよい。例えば、アンテナ構成を適用コードブックとしてＵＥ１０からＢＳ２０に送信してもよい。更に、複数の受信リソース１１のアンテナ構成をＢＳ２０で同一と想定してもよい。
【００６４】
更に、ＵＥ１０が送信することができる受信リソース１１の数は限定されてもよい。例えば、ＵＥ１０が１６受信リソースを含む場合、ＵＥは、所定の候補、例えば、ＢＳ２０への通知のための（１、２）、（１、２、３、４）、（１、２、４、６）（１、２、・・・、５、６）（１、２、・・・、７、８）（１、２、３、４、６、８、１２、１６）（１、２、３、４、・・・、１５、１６）のうち受信リソース１１の数を選択してもよい。この所定の候補の１つ以上の受信リソース１１を規則性に基づくか又は無作為に決定してもよい。
【００６５】
（他の実施例）
例えば、複数の受信リソース１１の輻射方向が同一（又は、ほぼ同一）の際、本発明の第１から第６の実施例の実施形態に係る共通動作を受信リソース１１の全部又は一部に適用してもよい。他の例として、複数の受信リソース１１（又は、アンテナグループ）をグルーピングしてもよい。例えば、各アンテナグループは、同一の上記動作を用いてもよい。
【００６６】
他の例として、共通の受信リソース１１を複数の物理チャネル及び信号に用いてもよい。他の例として、共通の受信リソース１１を上りリンク及び下りリンク送信に用いてもよい。他の例として、ＣＳＩ又は無線リソース管理（ＲＲＭ）測定に基づいて受信リソース選択を行ってもよい。
【００６７】
（基地局の構成）
以下、図１６を参照して、本発明の１つ以上の実施形態に係るＢＳ２０について説明する。図１６は、本発明の１つ以上の実施形態に係るＢＳ２０の概略構成を示す図である。ＢＳ２０は、複数のアンテナ２０１、アンプ２０２と、送受信部（送信部／受信部）２０３と、ベースバンド信号処理部２０４と、呼処理部２０５と、伝送路インタフェース２０６と、を具備してもよい。
【００６８】
ＢＳ２０からＵＥ２０にＤＬで送信されたユーザデータを、伝送路インタフェース２０６を介してコアネットワーク３０からベースバンド信号処理部２０４に入力する。
【００６９】
ベースバンド信号処理部２０４において、信号には、パケットデータ統合プロトコル（ＰＤＣＰ）レイヤ処理、ユーザデータの分割・結合及びＲＬＣ再送制御送信処理等の無線リンク制御（ＲＬＣ）レイヤ送信処理；例えば、ＨＡＲＱ送信処理を含む媒体アクセス制御（ＭＡＣ）送信制御；スケジューリング；伝送フォーマット選択；チャネル符号化；逆高速フーリエ変換（ＩＦＦＴ）処理；及びプリコーディング処理が行われる。そして、得られた信号を各送受信部２０３に転送する。ＤＬ制御チャネルの信号は、チャネル符号化及び逆高速フーリエ変換を含む送信処理が行われ、得られた信号を各送受信部２０３に送信する。
【００７０】
ベースバンド信号処理部２０４は、上位レイヤシグナリング（例えば、ＲＲＣシグナリング及び報知チャネル）によって、各ＵＥ１０にセル内での通信のための制御情報（システム情報）を通知する。セル内での通信のための情報は、例えば、ＵＬ又はＤＬシステム帯域幅を含む。
【００７１】
各送受信部２０３において、アンテナ毎にプリコーディングされてベースバンド信号処理部２０４から出力されたベースバンド信号に、無線周波数帯への周波数変換処理を行う。アンプ２０２は、周波数変換が行われた無線周波数信号を増幅し、得られた信号をアンテナ２０１から送信する。
【００７２】
ＵＥ１０からＢＳ２０にＵＬで送信されるデータについては、無線周波数信号を各アンテナ２０１で受信され、アンプ２０２で増幅され、送受信部２０３において周波数変換され、ベースバンド信号に変換され、ベースバンド信号処理部２０４に入力される。
【００７３】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、ＲＬＣレイヤ及びＰＤＣＰレイヤ受信処理を行う。そして、得られた信号を伝送路インタフェース２０６を介してコアネットワーク３０に転送する。呼処理部２０５は、通信チャネルの設定及び解除等の呼処理を行い、ＢＳ２０の状態を管理し、無線リソースを管理する。
【００７４】
（ユーザ装置の構成）
以下、図１７を参照して、本発明の１つ以上の実施形態に係るＵＥ１０について説明する。図１７は、本発明の１つ以上の実施形態に係るＵＥ１０の概略構成である。ＵＥ１０は、複数のＵＥアンテナ１０１、アンプ１０２、送受信部（送信部／受信部）１０３１を有する回路１０３、制御部１０４、及びアプリケーション１０５を有する。
【００７５】
ＤＬについて、ＵＥアンテナ１０１で受信した無線周波数信号はそれぞれのアンプ１０２で増幅され、送受信部１０３１においてベースバンド信号に周波数変換される。これらのベースバンド信号には、制御部１０４において、ＦＦＴ処理、誤り訂正復号、再送制御等の受信処理が行われる。ＤＬユーザデータは、アプリケーション部１０５に転送される。アプリケーション部１０５は、物理レイヤ及びＭＡＣレイヤより上の上位レイヤに関連する処理を行う。下りリンクデータでは、報知情報もアプリケーション１０５に転送される。
【００７６】
一方、ＵＬユーザデータをアプリケーション部１０５から制御部１０４に入力する。制御部１０４では、再送制御（ハイブリッドＡＲＱ）送信処理、チャネル符号化、プリコーディング、ＤＦＴ処理、ＩＦＦＴ処理等が行われ、得られた信号を各送受信部１０３１に転送する。送受信部１０３１では、制御部１０４から出力されたベースバンド信号が無線周波数帯に変換される。その後、周波数変換された無線周波数信号を増幅器１０２で増幅した後、アンテナ１０１から送信する。
【００７７】
本発明の１つ以上の実施形態において、受信リソースをアンテナグループ、又は垂直、水平、及び偏波アンテナの数に加えて他のアンテナ寸法（例えば、Ｎ３）等の他の概念に取り替えてもよい。本発明の１つ以上の実施形態において、（各受信リソースのための）複数のアンテナポートをグルーピングするインデックスを導入してもよい。
【００７８】
本開示においては上りリンク送信の例を中心に説明したが、本発明はこれに限定されるものではない。本発明の１つ以上の実施形態は、下りリンク送信に適用してもよい。更に、本発明の１つ以上の実施形態は、信号を送受信する方法に適用してもよい。例えば、ＵＥにおける受信リソース選択の方法は、ＢＳにおける受信リソース選択の方法に適用してもよい。
【００７９】
本発明の１つ以上の実施形態を上りリンクと下りリンクそれぞれに独立して用いてもよい。本発明の１つ以上の実施形態を上りリンクと下りリンク両方に共用することもできる。例えば、上りリンクと下りリンクそれぞれに独立して、又は上りリンクと下りリンク両方に共通して受信リソース選択を行ってもよい。
【００８０】
本発明の１つ以上の実施形態を各物理チャネル（又は、物理信号）に独立して用いてもよい。本発明の１つ以上の実施形態を複数の物理チャネル（又は、物理信号）に共用することもできる。例えば、各物理チャネル（又は、物理信号）に独立して、又は複数の物理チャネル（又は、物理信号）に共通して受信リソース選択を行ってもよい。
【００８１】
本開示においてはＰＵＳＣＨ、ＳＲＳ、ＰＵＣＣＨ、ＰＲＡＣＨ，及びＤＭ−ＲＳ等の物理チャネル及び物理信号の例を中心に説明したが、本発明はこれに限定されるものではない。本発明の１つ以上の実施形態は、他のチャネルと信号に適用してもよい。
【００８２】
本開示においてはＬＴＥ／ＬＴＥ−Ａに基づくチャネル及びシグナリング方式の例を中心に説明したが、本発明はこれに限定されるものではない。本発明の１つ以上の実施形態を、ＬＴＥ／ＬＴＥ−Ａと同一の機能を有する他のチャネルやシグナリング方式、Ｎｅｗ
Ｒａｄｉｏ（ＮＲ）、及び新規に規定されたチャネルやシグナリング方式に適用してもよい。
【００８３】
本開示においてはｐｌａｎｅｒアンテナを含むＵＥの例を中心に説明したが、本発明はこれに限定されるものではない。本発明の１つ以上の実施形態を１次元アンテナ及び所定の３次元アンテナを含むＵＥに適用することもできる。
【００８４】
本発明の１つ以上の実施形態において、複数の受信リソースそれぞれは互いに異なる指向性を有することが必要としなくてよい。本発明の１つ以上の実施形態を、複数の受信リソースが同一の指向性を有することに適用することもできる。
【００８５】
上記の実施例及び変更された実施例を、受信リソース選択のみならず他の動作にも用いてよい。例えば、上記の実施例及び変更例を、セル選択（初期セル接続、ハンドオーバー、及びセル再選択）及びＣＳＩ推定に用いてもよい。
【００８６】
上記の実施例及び変更された実施例を互いに組み合わせてもよく、これらの実施例の各種特徴を様々な組み合わせで互いに組み合わせることができる。本発明は、ここで開示された特定の組み合わせに限定されない。
【００８７】
本開示においては限定された数の実施形態に関してのみが説明されたが、本開示の利益を有する当業者は、本発明の範囲から逸脱することなく様々な他の実施形態が考案され得ることを理解するであろう。従って、本発明の範囲は、添付の特許請求の範囲によってのみ限定されるものである。
【符号の説明】
【００８８】
１          無線通信システム
１０        ユーザ装置（ＵＥ）
１１        アンテナパネル
１０１      アンテナ
１０２      アンプ
１０３      回路
１０３１    送受信部（送信部／受信部）
１０４      制御部
１０５      アプリケーション
１０６      スイッチ
２０        基地局（ＢＳ）
２０１      アンテナ
２０２      アンプ
２０３      送受信部（送信部／受信部）
２０４      ベースバンド信号処理部
２０５      呼処理部
２０６      伝送路インタフェース
【図１】
2020145718.tif 000003
【図２Ａ】
2020145718.tif 000004
【図２Ｂ】
2020145718.tif 000005
【図２Ｃ】
2020145718.tif 000006
【図２Ｄ】
2020145718.tif 000007
【図２Ｅ】
2020145718.tif 000008
【図３Ａ】
2020145718.tif 000009
【図３Ｂ】
2020145718.tif 000010
【図４】
2020145718.tif 000011
【図５】
2020145718.tif 000012
【図６】
2020145718.tif 000013
【図７】
2020145718.tif 000014
【図８】
2020145718.tif 000015
【図９】
2020145718.tif 000016
【図１０Ａ】
2020145718.tif 000017
【図１０Ｂ】
2020145718.tif 000018
【図１１】
2020145718.tif 000019
【図１２】
2020145718.tif 000020
【図１３Ａ】
2020145718.tif 000021
【図１３Ｂ】
2020145718.tif 000022
【図１４】
2020145718.tif 000023
【図１５】
2020145718.tif 000024
【図１６】
2020145718.tif 000025
【図１７】
2020145718.tif 000026